(57)【要約】【課題】体毛の成長調節のための光に求められる光量を少なくする。【解決手段】体毛の成長を調節する光を人体の光照射対象部に照射する光照射部２と、光照射対象部への光照射部からの光照射時に光照射対象部にある体毛の毛包を皮膚表面側に引き上げる毛包引き上げ手段とを備える。光を照射すべき毛包を皮膚表面側に引き上げるために、毛包に対する光照射効率を高くすることができる。【選択図】図１
2008183059.tif 000002
【特許請求の範囲】
【請求項１】
体毛の成長を調節する光を人体の光照射対象部に照射する光照射部と、光照射対象部への光照射部からの光照射時に光照射対象部にある体毛の毛包を皮膚表面側に引き上げる毛包引き上げ手段とを備えていることを特徴とする光体毛成長調節装置。
【請求項２】
毛包引き上げ手段は、体毛を剃る機械式剃毛手段であることを特徴とする請求項１記載の光体毛成長調節装置。
【請求項３】
毛包引き上げ手段は、体毛を抜く機械式脱毛手段であることを特徴とする請求項１記載の光体毛成長調節装置。
【請求項４】
毛包引き上げ手段は、皮膚表面を吸引する吸引手段であることを特徴とする請求項１記載の光体毛成長調節装置。
【発明の詳細な説明】
【技術分野】
【０００１】
本発明は、光を照射することで体毛（毛髪を含む）成長の抑制もしくは体毛成長の促進を行う光体毛成長調節装置に関するものである。
【背景技術】
【０００２】
光による光体毛成長調節装置としては、レーザ光による脱毛が知られているが、近年、既存の医療用レーザ等で見られるような細胞形態上の変化が生じることがない光量や光エネルギーを持つ光でも体毛の成長の調節を行えることが注目されている。
【０００３】
すなわち、体毛は成長期から退行期、休止期というサイクルで変化する毛周期を有しているが、上記の休止期において既存の医療用レーザ等で見られるような細胞形態上の変化が生じることがない光量や光エネルギーを持つ光を照射すれば毛周期の成長期における毛の成長が早く進むとともに、細胞の破壊が生じることがなくて火傷等の副作用発生が無いことが確認されている。また、上記光量や光エネルギーの光を上記毛周期における成長期に光照射を行えば、毛の成長が効果的に抑制されることも確認されている。
【０００４】
なお、休止期や成長期に細胞形態上の変化が生じないレベルの光照射を行うと、毛髪の成長が促進されたり抑制されたりする理由は明らかではないが、ＲＮＡレベルでの分析結果では上記光照射によって炎症性サイトカインの活性化が起きていることから、この炎症性サイトカインの活性化によるものと考えられている。
【０００５】
ところで、上記のような毛髪成長調節用の光を人体の皮膚に照射することで毛の成長の促進あるいは抑制を行うにあたり、レーザのようなエネルギーは持っていなくても、相応の光量の光を照射することが体毛の成長調節に必要であり、このために光源としてはキセノンフラッシュランプが用いられている。しかし、必要な光量を更に下げることができるならば、安価であったり使い勝手が良かったりする他の光源を使用することができることになって、より都合がよい。
【特許文献１】特開２００１−２９２８２５号公報
【発明の開示】
【発明が解決しようとする課題】
【０００６】
本発明は上記の従来の問題点に鑑みて発明したものであって、体毛の成長調節のための光に求められる光量を少なくすることができる光毛髪成長調節装置を提供することを課題とするものである。
【課題を解決するための手段】
【０００７】
上記課題を解決するために本発明に係る光体毛成長調節装置は、体毛の成長を調節する光を人体の光照射対象部に照射する光照射部と、光照射対象部への光照射部からの光照射時に光照射対象部にある体毛の毛包を皮膚表面側に引き上げる毛包引き上げ手段とを備えていることに特徴を有している。
【０００８】
光を照射すべき毛包を皮膚表面側に引き上げるために、毛包に対する光照射効率を高くすることができる。
【０００９】
上記毛包引き上げ手段としては、体毛を剃る機械式剃毛手段、体毛を抜く機械式脱毛手段、皮膚表面を吸引する吸引手段を好適に用いることができる。
【発明の効果】
【００１０】
本発明は、光を照射すべき毛包を皮膚表面側に引き上げて毛包に到達する光の量を増加させるために、光照射部に求められる光量を下げることができるものであり、このために、光照射部としてその照射光量の低い光源でも利用することができる。
【発明を実施するための最良の形態】
【００１１】
以下、本発明を添付図面に示す実施形態に基いて説明すると、図１は体毛における毛包を皮膚表面側に引き上げる引き上げ手段として体毛を剃る機械式剃毛手段、つまりは電気かみそり１を用いたもので、該電気かみそり１は、本体ハウジング１１と、本体ハウジング１１の上端に連結される外刃フレーム１２と、外刃フレーム１２に取り付けられた外刃１３と、この外刃１３の内面に接する内刃１４とからなるもので、外刃１３を肌に押し当てた状態で本体ハウジング１内に配されたモータ（図示せず）によって上記内刃１４が往復駆動される時、外刃１３の刃孔から外刃フレーム１内に入った体毛は内刃１４と外刃１３（の刃孔の孔縁）との間で切断される。なお、内刃１４の駆動形式はどのようなものでもよく、例えば回転式やロータリー式のものであってもよい。
【００１２】
ここにおいて、電気かみそり１の本体ハウジング１１の上端面には光照射部２，２を配してある。連続的パルス発光を行わせるキセノンフラッシュランプを光源とする２つの光照射部２は、共に内刃１４の脇に位置するとともに、内刃１４と外刃１３との接触部付近に向けて集光するレンズ（図示せず）を備えている。また、ここでは外刃フレーム１１で覆われる位置に光照射部２，２を配しているために、光照射部２，２から出力される光は、外刃１３の刃孔を通じて外刃１３外に出る。
【００１３】
図中１５は外刃１３の保護用のキャップであり、外刃フレーム１２に対して着脱自在とされた該キャップ１５は、外刃フレーム１２に取り付けた時、光照射部２の光が外部に出ることを防止する遮光性を有するものとして形成されている。
【００１４】
今、本体ハウジング１１に配されたスイッチ１６の操作で上記内刃１４の駆動用のモータに通電するとともに、光照射部２に電源を供給する時、光照射部２から出力される光は、体毛剃るために肌に押し当てられた外刃１３の刃孔を通じて肌に当たる。
【００１５】
また、外刃１３と往復駆動される内刃１４との間で体毛の切断を行う時、肌は外刃１３の刃孔に入るとともに体毛が内刃１４の移動方向に引っ張られつつ切断されるために、体毛の毛包は肌の表面側に引き上げられるものであり、上記光は肌の表面側に引き上げられた毛包に対して照射されることになる。
【００１６】
この時、光照射部２から出力される光量が同じでも、この光を当てるべき毛包の位置がより皮膚表面に近いところにある場合、毛包が受ける光量は多くなる。従って、毛包に当てるべき光量を体毛の成長調節に必要なある光量を保つには、外刃１３と内刃１４とからなる剃毛手段が存在しない場合よりも、光照射部２は小出力のものですむことになる。
【００１７】
図２に他例を示す。ここでも毛包引き上げ手段は機械式剃毛を行う電気かみそり１であるが、光照射部２は外刃１３が取り付けられた外刃フレーム１２内に配しているとともに、光源２０と集光用のレンズ２１とからなる光照射部２は、外刃１３の外面（肌に接する面）の頂部に向けて光を照射する。この場合、光照射部２からの光は外刃１３に遮られることなく、外刃１３が押し当てられる肌に照射される。また、外刃フレーム１２の外周に外刃１３と光照射部２とを囲む周壁１８を備えた図示例では、光照射時に外部への光漏れを軽減することができる。
【００１８】
図３に示すものは、毛包引き上げ手段が機械式脱毛を行う脱毛装置３である場合を示しており、図中３０は外周部に脱毛用の開閉爪３１が配された回転シリンダーである。回転シリンダー３０が図中の矢印方向に回転する時、開閉爪３１は図中のイ位置付近にて閉じて体毛を挟み込み、回転シリンダー３０の図中矢印方向の回転に伴って上記挟んだ毛を引き抜く。
【００１９】
光照射部２は回転シリンダー３０の脇で且つ開閉爪３１が体毛を引き抜く方向の側に位置し、引っ張られることで皮膚の表面側に引き上げられた毛包に光を照射する。
【００２０】
図４に更に他の例を示す。これは毛包引き上げ手段として肌を吸引する吸引装置を用いたもので、ヘッド５の肌９に接触させる面には凹部５０を設けてあり、この凹部５０の奥所に光照射部２を配置してある。また、上記凹部５０は吸引路６０で吸引用空気ポンプ６に接続してある。空気ポンプ６を作動させたならば、ヘッド５が押し当てられた肌面における凹部５０に面する部分が凹部５０側に引き上げられるものであり、これに伴って体毛も毛包も肌面側に引き上げられる。このために光照射部２からの光は上記毛包に対して効率良く照射される。この場合、体毛の成長を促進させる場合にも適用することができる。
【００２１】
なお、以上の各例では光照射部２としてキセノンフラッシュランプを光源とするものを示したが、光照射部２がレーザ光を出力するものであってもよく、逆にキセノンフラッシュランプよりも更に低出力のランプであってもよい。
【図面の簡単な説明】
【００２２】
【図１】本発明の実施の形態の一例の分解正面図である。
【図２】(a)は他例の斜視図、(b)は部分側面図である。
【図３】更に他例の断面図である。
【図４】別の例の断面図である。
【符号の説明】
【００２３】
１  本体ハウジング
２  光照射部
１３  外刃
１４  内刃
【図１】
2008183059.tif 000003
【図２】
2008183059.tif 000004
【図３】
2008183059.tif 000005
【図４】
2008183059.tif 000006